(57)【特許請求の範囲】
【請求項１】
ＬＥＤ照明ユニットと、器具本体とを含み、
前記ＬＥＤ照明ユニットは、ＬＥＤモジュールと、一対の板バネ状係止部材とを含み、
前記ＬＥＤモジュールは、複数のＬＥＤと、前記複数のＬＥＤを実装する実装面を有するＬＥＤ基板とを含み、
前記一対の板バネ状係止部材の各板バネ状係止部材は、それぞれ、前記ＬＥＤ照明ユニットの長手方向両端に配置されており、
前記器具本体は、本体部と、一対の蓋部材とを含み、
前記本体部は、天板と、一対の短手方向側壁とを含み、前記天板は、配線を器具取付面へと送り出すための配線挿通孔を有し、
前記一対の蓋部材の各蓋部材は、前記本体部の長手方向両端に嵌合可能であり、かつ、係止部を含み、
前記ＬＥＤ照明ユニットと前記器具本体とが、前記一対の板バネ状係止部材の各板バネ状係止部材が、それぞれ、前記一対の蓋部材の各蓋部材の係止部に係止されることにより取り外し可能に取り付けられており、
前記ＬＥＤ照明ユニットが、さらに、ベース部材と、カバー部材とを含み、
前記ベース部材は、前記ＬＥＤモジュールを搭載する搭載部と、前記カバー部材に取り付ける一対のカバー部材取り付け部とを含み、
前記カバー部材は、前記実装面を覆うカバー本体部と、前記ベース部材に取り付ける一対のベース部材取り付け部とを含み、
前記カバー部材取り付け部は、レール状であり、前記ベース部材取り付け部は、溝状であり、
前記ＬＥＤモジュールは、前記ベース部材の前記搭載部に搭載されており、
前記ベース部材は、前記カバー部材取り付け部が前記カバー部材の前記ベース部材取り付け部に嵌合された状態で前記カバー部材に取り付けられており、
前記ＬＥＤ照明ユニットにおいて、 
前記一対の板バネ状係止部材の各板バネ状係止部材が、それぞれ、前記カバー部材の長手方向両端に嵌合可能な一対の取り付け具の各取り付け具に形成されており、
前記取り付け具が、板状本体と、板状蓋部材と、一対の板状ガイド部材と、一対の前記板バネ状係止部材とを含み、
前記板状本体は、前記カバー部材に嵌合可能であり、
前記板状蓋部材は、その面方向が、前記板状本体の面方向と直交するように、前記板状本体の前記カバー部材に嵌合される側と反対側の端部に配置され、
前記一対の板状ガイド部材の各板状ガイド部材は、それぞれ、前記板状本体の前記嵌合方向と直交する方向の両端側に、前記直交方向の端部よりも外側に突出する状態で配置され、
前記一対の板バネ状係止部材の各板バネ状係止部材は、それぞれ、前記板状本体の前記嵌合方向と直交する方向の両端に、前記板状蓋部材の起立方向とは逆方向に折り返し端部が突出した状態で配置されており、
前記取り付け具が、さらに、突起部材を含み、
前記突起部材は、前記板状蓋部材から前記嵌合方向に突出する状態で配置されており、
前記突起部材は、前記ベース部材裏面と当接可能な当接部を含み、
前記当接部には、前記ベース部材裏面と当接した状態で前記ベース部材裏面と接合するためのねじ止め孔が設けられており、
前記板状本体および前記突起部材の少なくとも一方には、配線貫通孔が設けられていることを特徴とするＬＥＤ照明器具。
【請求項２】
前記取り付け具が、さらに、カバー当接部材を含み、
前記カバー当接部材は、前記板状蓋部材から前記嵌合方向に突出する状態で配置されており、
前記カバー当接部材は、前記カバー部材の内面と当接可能である請求項１記載のＬＥＤ照明器具。
【請求項３】
前記板状本体は、突起部を含み、
前記板状本体の前記カバー部材に嵌合される側の端部およびそれとは反対側の端部にそれぞれ少なくとも一つの前記突起部が配置されている請求項１又は２記載のＬＥＤ照明器具。
【請求項４】
ＬＥＤ照明ユニットと、器具本体とを含み、
前記ＬＥＤ照明ユニットは、ＬＥＤモジュールと、一対の板バネ状係止部材とを含み、
前記ＬＥＤモジュールは、複数のＬＥＤと、前記複数のＬＥＤを実装する実装面を有するＬＥＤ基板とを含み、
前記一対の板バネ状係止部材の各板バネ状係止部材は、それぞれ、前記ＬＥＤ照明ユニットの長手方向両端に配置されており、
前記器具本体は、本体部と、一対の蓋部材とを含み、
前記本体部は、天板と、一対の短手方向側壁とを含み、前記天板は、配線を器具取付面へと送り出すための配線挿通孔を有し、
前記一対の蓋部材の各蓋部材は、前記本体部の長手方向両端に嵌合可能であり、かつ、係止部を含み、
前記ＬＥＤ照明ユニットと前記器具本体とが、前記一対の板バネ状係止部材の各板バネ状係止部材が、それぞれ、前記一対の蓋部材の各蓋部材の係止部に係止されることにより取り外し可能に取り付けられており、
前記ＬＥＤ照明ユニットが、さらに、ベース部材と、カバー部材とを含み、
前記ベース部材は、前記ＬＥＤモジュールを搭載する搭載部と、前記カバー部材に取り付ける一対のカバー部材取り付け部とを含み、
前記カバー部材は、前記実装面を覆うカバー本体部と、前記ベース部材に取り付ける一対のベース部材取り付け部とを含み、
前記カバー部材取り付け部は、レール状であり、前記ベース部材取り付け部は、溝状であり、
前記ＬＥＤモジュールは、前記ベース部材の前記搭載部に搭載されており、
前記ベース部材は、前記カバー部材取り付け部が前記カバー部材の前記ベース部材取り付け部に嵌合された状態で前記カバー部材に取り付けられており、
前記ＬＥＤ照明ユニットにおいて、   
前記一対の板バネ状係止部材の各板バネ状係止部材が、それぞれ、前記カバー部材の長手方向両端に嵌合可能な一対の取り付け具の各取り付け具に形成されており、
前記取り付け具が、板状本体と、板状蓋部材と、一対の板状ガイド部材と、一対の前記板バネ状係止部材とを含み、
前記板状本体は、前記カバー部材に嵌合可能であり、
前記板状蓋部材は、その面方向が、前記板状本体の面方向と直交するように、前記板状本体の前記カバー部材に嵌合される側と反対側の端部に配置され、
前記一対の板状ガイド部材の各板状ガイド部材は、それぞれ、前記板状本体の前記嵌合方向と直交する方向の両端側に、前記直交方向の端部よりも外側に突出する状態で配置され、
前記一対の板バネ状係止部材の各板バネ状係止部材は、それぞれ、前記板状本体の前記嵌合方向と直交する方向の両端に、前記板状蓋部材の起立方向とは逆方向に折り返し端部が突出した状態で配置されており、
前記板状本体は、突起部を含み、
前記板状本体の前記カバー部材に嵌合される側の端部およびそれとは反対側の端部にそれぞれ少なくとも一つの前記突起部が配置されていることを特徴とするＬＥＤ照明器具。
【請求項５】
前記取り付け具が、さらに、突起部材を含み、
前記突起部材は、前記板状蓋部材から前記嵌合方向に突出する状態で配置されており、
前記突起部材は、前記ベース部材裏面と当接可能な当接部を含み、
前記当接部には、前記ベース部材裏面と当接した状態で前記ベース部材裏面と接合するためのねじ止め孔が設けられている請求項４記載のＬＥＤ照明器具。
【請求項６】
前記取り付け具が、さらに、カバー当接部材を含み、
前記カバー当接部材は、前記板状蓋部材から前記嵌合方向に突出する状態で配置されており、
前記カバー当接部材は、前記カバー部材の内面と当接可能である請求項４又は５記載のＬＥＤ照明器具。
【発明の詳細な説明】
【技術分野】
【０００１】
本発明は、ＬＥＤ照明器具に関する。
【背景技術】
【０００２】
家庭用および施設用等の照明器具として、直管型蛍光ランプと、蛍光ランプ用器具本体とを含む照明器具が広く用いられている（特許文献１〜４）。
【０００３】
一方、近年、蛍光ランプ等に代えて発光ダイオード（ＬＥＤ）を用いたＬＥＤランプが普及しつつある。ＬＥＤランプは、蛍光ランプと比較して、例えば、以下の優れた特徴を有する。すなわち、まず、ＬＥＤランプは、蛍光ランプと比較して非常に寿命が長い。また、ＬＥＤランプは、蛍光ランプと比較して消費電力が低く、優れた省電力効果を有する。さらに、ＬＥＤランプは、蛍光ランプと比較して発光の応答時間が非常に短く、優れた応答性を有する。
【０００４】
小型の蛍光ランプをＬＥＤランプに置き換えた一例として、例えば、特許文献５に記載の照明器具があげられる。
【先行技術文献】
【特許文献】
【０００５】
【特許文献１】特開平８−１８０７２０号公報
【特許文献２】特開平６−１６８６１２号公報
【特許文献３】公開実用昭６２−１７１１０７号公報
【特許文献４】公開実用昭６２−２０１４２０号公報
【特許文献５】特開２００２−１３３９１０号公報
【発明の概要】
【発明が解決しようとする課題】
【０００６】
しかしながら、特許文献５に記載の照明器具では、ＬＥＤに電力を供給するための配線を長手方向の一端に設ける必要があり、デザインに制約がある。
【０００７】
そこで、本発明は、デザインの制約なしに、小型の蛍光ランプを用いた照明器具を代替可能なＬＥＤ照明器具の提供を目的とする。
【課題を解決するための手段】
【０００８】
前記目的を達成するために、本発明のＬＥＤ照明器具は、
ＬＥＤ照明ユニットと、器具本体とを含み、
前記ＬＥＤ照明ユニットは、ＬＥＤモジュールと、一対の板バネ状係止部材とを含み、
前記ＬＥＤモジュールは、複数のＬＥＤと、前記複数のＬＥＤを実装する実装面を有するＬＥＤ基板とを含み、
前記一対の板バネ状係止部材の各板バネ状係止部材は、それぞれ、前記ＬＥＤ照明ユニットの長手方向両端に配置されており、
前記器具本体は、本体部と、一対の蓋部材とを含み、
前記本体部は、天板と、一対の短手方向側壁とを含み、前記天板は、配線を器具取付面へと送り出すための配線挿通孔を有し、
前記一対の蓋部材の各蓋部材は、前記本体部の長手方向両端に嵌合可能であり、かつ、係止部を含み、
前記ＬＥＤ照明ユニットと前記器具本体とが、前記一対の板バネ状係止部材の各板バネ状係止部材が、それぞれ、前記一対の蓋部材の各蓋部材の係止部に係止されることにより取り外し可能に取り付けられていることを特徴とする。
【発明の効果】
【０００９】
本発明によれば、デザインの制約なしに、小型の蛍光ランプを用いた照明器具を代替可能なＬＥＤ照明器具を提供することができる。
【図面の簡単な説明】
【００１０】
【図１】図１は、本発明のＬＥＤ照明器具の構成の一例を示す分解斜視図である。
【図２】図２は、本発明のＬＥＤ照明ユニットの構成の一例を示す分解斜視図である。
【図３】図３（Ａ）〜（Ｅ）は、本発明の取り付け具の構成の一例を示す図である。
【図４】図４（Ａ）〜（Ｅ）は、本発明の取り付け具の構成の別の例を示す図である。
【図５】図５は、本発明の器具本体の構成の一例を示す分解斜視図である。
【図６】図６（Ａ）は、本発明の器具本体の使用例を説明する図であり、図６（Ｂ）は、本発明の器具本体の平面図の一例である。
【発明を実施するための形態】
【００１１】
以下、本発明のＬＥＤ照明器具について、図面を参照して詳細に説明する。ただし、本発明は、以下の説明に限定されない。なお、以下の図１から図６において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１２】
［ＬＥＤ照明器具］
図１は、本発明のＬＥＤ照明器具の構成の一例を示す分解斜視図である。図示のように、このＬＥＤ照明器具１は、ＬＥＤ照明ユニット２と、器具本体３とを含む。なお、ＬＥＤ照明器具１の長手方向両端は同じ構造であるため、図１では、ＬＥＤ照明器具１の長手方向左端側のみを示している。また、図１では、わかりやすさを考慮して、例えば、天井等のＬＥＤ照明器具１を取り付ける器具取付面側が下方となるように記載しており、特に断らない限り、図２から図６においても同様である。
【００１３】
［ＬＥＤ照明ユニット］
まず、ＬＥＤ照明ユニット２について説明する。図１に示すように、ＬＥＤ照明ユニット２は、ＬＥＤモジュールと、ＬＥＤ照明ユニット２の長手方向両端に配置された一対の板バネ状係止部材２１４とを含む。ＬＥＤモジュールの詳細については、後述する。図１では、一対の板バネ状係止部材２１４のうち、ＬＥＤ照明ユニット２の長手方向右端の板バネ状係止部材は現れておらず、長手方向左端の板バネ状係止部材のみが現れており、図２において同様である。図１に示すＬＥＤ照明ユニット２では、その長手方向左端の板バネ状係止部材が２つあり、それぞれ、ＬＥＤ照明ユニット２の短手方向両端に配置されている。これについては、図１に現れていないＬＥＤ照明ユニット２の長手方向右端の板バネ状係止部材においても同様である。ただし、図１は例示に過ぎず、ＬＥＤ照明ユニット２は、その長手方向両端に、それぞれ、板バネ状係止部材を１つのみ有してもよいし、３つ以上有してもよい。
【００１４】
ＬＥＤ照明ユニット２は、例えば、図２に示す構成であってもよい。ただし、ＬＥＤ照明ユニット２は、図２に示す例に限定されない。図２に示すように、このＬＥＤ照明ユニット２は、ＬＥＤモジュール２００と、ベース部材２３０と、カバー部材２４０と、一対の取り付け具２１０とを、主要な構成部材として含む。なお、ＬＥＤ照明ユニット２は、図２に示すように、任意の構成部材として受電手段２５０を含んでもよい。後述のように、一対の取り付け具２１０の各取り付け具は、カバー部材２４０の長手方向両端に嵌合可能である。図２に示すＬＥＤ照明ユニット２では、一対の板バネ状係止部材２１４の各板バネ状係止部材が、それぞれ、一対の取り付け具２１０の各取り付け具に形成されている。
【００１５】
［ＬＥＤモジュール］
図２に示すように、ＬＥＤモジュール２００は、複数のＬＥＤ２０１と、複数のＬＥＤ２０１を実装する実装面を有するＬＥＤ基板２０２とを含む。ＬＥＤ基板２０２は、例えば、図２に示すように、直方体状をしている。複数のＬＥＤ２０１は、例えば、図２に示すように、ＬＥＤ基板２０２の実装面上に、長手方向に一列に配置されている。ＬＥＤ照明ユニット２は、ＬＥＤモジュール２００を一つだけ有するものであってもよいし、ＬＥＤモジュール２００を長手方向に直列に接続した状態で複数有するものであってもよい。
【００１６】
［ベース部材およびカバー部材］
ベース部材２３０は、例えば、図２に示すように、ＬＥＤモジュール２００を搭載する搭載部２３１と、カバー部材２４０を取り付ける一対のカバー部材取り付け部２３２と、搭載部２３１と一対のカバー部材取り付け部２３２とを連結する一対の側壁２３３とを含む。なお、一対の側壁２３３は、ベース部材２３０において、任意の構成部材である。図２に示すベース部材２３０では、搭載部２３１は、ＬＥＤモジュール２００の形状に合わせて直方体状としている。一対のカバー部材取り付け部２３２の各カバー部材取り付け部は、後述のカバー部材２４０のベース部材取り付け部２４２の形状に合わせてレール状としている。ベース部材２３０は、例えば、一対の側壁２３３の各側壁の短手方向両端に、それぞれ、搭載部２３１とカバー部材取り付け部２３２とが、それらの面方向が前記各側壁の面方向と垂直になるように配置された構成である。この場合、ベース部材２３０は、例えば、一枚の金属板を折り曲げることにより、搭載部２３１、一対の側壁２３３、および一対のカバー部材取り付け部２３２を一体的に形成することで製造してもよい。ベース部材２３０には、例えば、図２に示すように、搭載部２３１の長手方向両端から外側に突出した状態で一対の突出部２３４が配置されていてもよい。一対の突出部２３４の各突出部には、ベース部材２３０と、取り付け具２１０とを接合するためのねじ止め孔２３５を設けてもよい。
【００１７】
カバー部材２４０は、例えば、図２に示すように、前記実装面を覆うカバー本体２４１と、ベース部材２３０に取り付ける一対のベース部材取り付け部２４２とを含む。カバー本体２４１の短手方向断面は、例えば、図２に示すように、半円状である。ただし、カバー本体２４１の形状は、この例に限定されず、前記実装面を覆うものであれば、いかなる形状であってもよい。一対のベース部材取り付け部２４２は、カバー本体２４１の両端に配置されている。一対のベース部材取り付け部２４２の各ベース部材取り付け部は、例えば、図２に示すように、カバー本体２４１の長手方向に二枚の板状部材が所定の間隔をおいて配置された溝状である。ベース部材２３０のレール状のカバー部材取り付け部２３２は、前記溝に嵌合可能とされている。ベース部材２３０は、図２に示す矢印方向へのスライドにより、カバー部材２４０に着脱可能である。ベース部材２３０は、カバー部材２４０の中央部に配置される。カバー部材２４０としては、例えば、光を拡散可能な拡散カバー等が用いられる。
【００１８】
［受電手段］
受電手段２５０は、後述のように、器具本体３を介して電力の供給を受ける。受電手段２５０は、例えば、図２に示すように、ベース部材２３０の裏面側に２つ設けられている。２つの受電手段２５０の各受電手段は、それぞれ、配線２５１と、電子ピン（図示省略）を有する受電コネクタ２５２とを含む。配線２５１は、ベース部材２３０の裏面側から伸びている。受電コネクタ２５２は、配線２５１の端部に配置されている。受電コネクタ２５２は、後述のように、器具本体３側の給電コネクタ３２３と接続可能であり、これにより、配線２５１を介してベース部材２３０側に設けられた電源回路（図示省略）に電力が供給される。
【００１９】
［取り付け具］
図３（Ａ）〜（Ｅ）は、取り付け具２１０の構成の一例を示す図である。図３（Ａ）は、底面図であり、図３（Ｂ）は、正面図であり、図３（Ｃ）は、側面図であり、図３（Ｄ）は、斜視図であり、図３（Ｅ）は、底面側から見た斜視図である。図示のように、この取り付け具２１０は、板状本体２１１と、板状蓋部材２１２と、一対の板状ガイド部材２１３と、一対の板バネ状係止部材２１４とを、主要な構成部材として含む。
【００２０】
板状本体２１１は、カバー部材２４０に嵌合可能である。板状本体２１１は、例えば、図３に示すような直方体状である。ただし、板状本体２１１の形状は、この例に限定されない。
【００２１】
板状蓋部材２１２は、その面方向が、板状本体２１１の面方向と直交するように、板状本体２１１のカバー部材２４０に嵌合される側と反対側の端部に配置される。板状蓋部材２１２は、例えば、図３に示すような半円状である。ただし、板状蓋部材２１２の形状は、この例に限定されず、例えば、カバー部材２４０の短手方向の断面形状に応じて適宜変更可能である。
【００２２】
一対の板状ガイド部材２１３の各板状ガイド部材は、それぞれ、前述の板状本体２１１のカバー部材２４０への嵌合方向（図３において、矢印Ｘで示す方向）と直交する方向（図３において、矢印Ｙで示す方向）の両端側に、前記直交方向（矢印Ｙ）の端部よりも外側に突出する状態で配置されている。前記「両端側」とは、板状本体２１１の前記直交方向（矢印Ｙ）の両端部（板状本体２１１の側面Ｌ１）であってもよいし、板状本体２１１の側面Ｌ１の上方であってもよい。板状ガイド部材２１３の形状は、例えば、図３に示すようなＬ字状である。ただし、板状ガイド部材２１３の形状は、前記直交方向（矢印Ｙ）の端部よりも外側に突出した形状を有していればこの例に限定されない。板状ガイド部材２１３の前記直交方向（矢印Ｙ）の端部よりも外側に突出した部分を、カバー部材２４０の溝部に挿入することにより、取り付け具２１０をカバー部材２４０に取り付けることができる。
【００２３】
２つの板バネ状係止部材２１４は、それぞれ、前記直交方向（矢印Ｙ）の両端に配置されている。板バネ状係止部材２１４は、例えば、図３に示すように、その一端が、板状本体２１１の側面Ｌ１および底面の前記直交方向（矢印Ｙ）端部を支持するように配置されている。なお、この例に限定されることなく、板バネ状係止部材２１４は、例えば、板状本体２１１の側面Ｌ１のみを支持するように配置されてもよい。板バネ状係止部材２１４は、前記一端から他端２１６に向かう間に、板を折り返した端部（折り返し端部）２１５を有している。折り返し端部２１５は、板状蓋部材２１２の起立方向とは逆方向に突出した状態で配置されている。折り返し端部２１５は、例えば、図３に示すような曲面状である。ただし、折り返し端部２１５の形状は、この例に限定されず、例えば、平面状であってもよい。板バネ状係止部材２１４の他端２１６は、例えば、図３に示すように、板状本体２１１から遊離した状態で位置している。板バネ状係止部材２１４の他端２１６は、例えば、図３に示すように、平面２１６ａと曲面２１６ｂとを有する。
【００２４】
図４（Ａ）〜（Ｅ）は、取り付け具２１０の構成の別の例を示す図である。図４（Ａ）は、底面図であり、図４（Ｂ）は、正面図であり、図４（Ｃ）は、側面図であり、図４（Ｄ）は、斜視図であり、図４（Ｅ）は、底面側から見た斜視図である。図４に示す取り付け具２１０は、後述の複数の構成を取ること以外、図３に示す取り付け具２１０と同様である。また、本発明において、取り付け具２１０は、例えば、前記複数の構成の全てではなく、例えば、一つ以上の構成を有してもよい。
【００２５】
図４に示す取り付け具２１０は、突起部材２１７を含む。突起部材２１７は、ベース部材２３０の裏面と当接可能な当接部２１８を含む。突起部材２１７は、例えば、図４に示すように、当接部２１８の短手方向両端に傾斜面および平坦面を有する一対の側壁２１９を含む。ただし、突起部材２１７において、一対の側壁２１９は、任意の構成部材であり、あってもなくてもよい。当接部２１８には、ねじ止め孔２２０が設けられている。これにより、取り付け具２１０は、ベース部材２３０裏面と当接した状態で、ベース部材２３０裏面とねじにより接合可能である。このように、ねじ止め孔２２０を設けることにより、より安定にベース部材２３０と取り付け具２１０とを固定することができる。
【００２６】
図４に示す取り付け具２１０の板状本体２１１および突起部材２１７には、配線貫通孔２２１が設けられている。これにより、ベース部材２３０の裏側から伸びた配線２５１を貫通させ、器具本体３側に受電手段２５０を移動させやすくなる（図１および図２参照）。配線貫通孔２２１は、取り付け具２１０に突起部材２１７を設けない場合には、板状本体２１１のみに設けられてもよい。
【００２７】
図４に示す取り付け具２１０は、カバー当接部材２２２を含む。カバー当接部材２２２は、板状蓋部材２１２から前記嵌合方向（矢印Ｘ）に突出する状態で配置されている。カバー当接部材２２２は、カバー本体２４１の短手方向断面の形状に対応した形状を有し、カバー部材２４０の内面と当接可能である。取り付け具２１０は、さらに、図４に示すように、カバー部材２４０のベース部材取り付け部２４２の下側の板と当接可能な部材２２３を含んでもよい。
【００２８】
図４に示す取り付け具２１０は、突起部２２４を含む。突起部２２４は、例えば、図４に示すように、板状本体２１１のカバー部材２４０に嵌合される側の端部およびそれとは反対側の端部に、それぞれ、二つずつ配置されている。ただし、突起部２２４は、この例に限定されず、板状本体２１１のカバー部材２４０に嵌合される側の端部およびそれとは反対側の端部に、それぞれ、少なくとも一つ以上あればよい。これにより、後述のように、器具本体３に係止した取り付け具２１０が、器具本体３の長手方向に移動する（ぶれる）のを抑制可能である。
【００２９】
取り付け具２１０の材質は、特に制限されず、例えば、弾性プラスチック、弾性ゴム等があげられ、透光性を有するものが好ましい。取り付け具２１０が透光性を有していれば、ＬＥＤ照明ユニット２の長手方向両端からも光を放出可能である。取り付け具２１０は、例えば、各構成部材を一体的に形成することで製造しでもよい。また、取り付け具２１０は、各構成部材を個別に形成し、接合することで製造してもよい。
【００３０】
［器具本体］
つぎに、器具本体３について説明する。図５は、器具本体３の構成の一例を示す分解斜視図である。図示のように、この器具本体３は、本体部３１０と、一対の蓋部材３００とを含む。図５では、一対の蓋部材３００のうち、器具本体３の長手方向右端の蓋部材は現れておらず、長手方向左端の蓋部材のみが現れており、図６（Ａ）において同様である。本体部３１０は、天板３１１と、一対の短手方向側壁３１２とを含む。天板３１１は、図６（Ｂ）の平面図に示すように、例えば、天井等のＬＥＤ照明器具１を取り付ける器具取付面へと配線を送り出すための配線挿通孔３１３を有する。一対の蓋部材３００の各蓋部材は、本体部３１０の長手方向両端に嵌合可能であり、かつ、係止部３０１を含む。図５に示す器具本体３では、その長手方向左端の蓋部材３００に係止部３０１が２つあり、それぞれ、蓋部材３００のＬＥＤ照明ユニット２側の面に配置されている。これについては、図５に現れていない器具本体３の長手方向右端の蓋部材においても同様である。ただし、図５は例示に過ぎず、蓋部材３００は、ＬＥＤ照明ユニット２の板バネ状係止部材２１４と同数の係止部３０１を有していればよい。
【００３１】
本体部３１０において、一対の短手方向側壁３１２の各短手方向側壁は、例えば、図５に示すように、天板３１１とは反対側のＬＥＤ照明ユニット２側端部に、折り返し部（淵）を有し、前記折り返し部（淵）の長手方向端部に、切欠き３１４を有してもよい。また、蓋部材３００の係止部３０１が形成されたＬＥＤ照明ユニット２側の面は、例えば、図５に示すように、係止部３０１の外側に、本体部３１０の切欠き３１４の下部へと入り込むへこみを有してもよい。このような構成であれば、図１および図６（Ａ）に示すように、本体部３１０の長手方向端部に蓋部材３００を嵌合したときに、器具本体３のＬＥＤ照明ユニット２側に平坦面が形成され、器具本体３に、ＬＥＤ照明ユニット２を隙間なく取り付け可能である。
【００３２】
つぎに、図６（Ａ）を用いて、器具本体３の使用例について説明する。器具本体３は、本体部３１０の長手方向端部に蓋部材３００を嵌合することで、図６（Ａ）に示すように、ＬＥＤ照明ユニット２側が開口した箱状となり、その内部に、例えば、電源に差し込むための電源プラグ３２０、電源回路を収納したケース３２１、並びに、配線３２２および前述の受電コネクタ２５２を挿入可能な給電コネクタ３２３を有する一対の給電手段３２４等を収納可能である。電源プラグ３２０は、配線挿入孔３１３を介して、前記電源が設置された天井等のＬＥＤ照明器具１を取り付ける器具取付面へと送り出すことができる。
【００３３】
本発明のＬＥＤ照明器具１によれば、前述のとおり、器具本体３内部に、例えば、電源回路を収納したケース３２１、並びに、配線３２２および前述の受電コネクタ２５２を挿入可能な給電コネクタ３２３を有する一対の給電手段３２４等を収納可能である。このため、本発明の照明器具１によれば、特許文献５に記載の照明器具のように、ＬＥＤに電力を供給するための配線を長手方向の一端に設ける必要はなく、デザインの制約なしに、小型の蛍光ランプを用いた照明器具を代替可能である。また、本発明の照明器具１では、器具本体３の本体部３１０ではなく、一対の蓋部材３００が係止部３０１を含むことで、器具本体３の強度が高くなり、ＬＥＤ照明ユニット２の板バネ状係止部材２１４が係止部３０１に係止されたときの器具本体の損傷を防止可能である。
【００３４】
以上、実施形態を参照して本発明を説明したが、本発明は、上記実施形態に限定されるものではない。本発明の構成や詳細には、本発明のスコープ内で当業者が理解しうる様々な変更をすることができる。
【産業上の利用可能性】
【００３５】
本発明によれば、デザインの制約なしに、小型の蛍光ランプを用いた照明器具を代替可能なＬＥＤ照明器具を提供することができる。本発明のＬＥＤ照明器具は、例えば、台所用等の家庭用照明器具、天井等に取り付けられる施設用等の照明器具等、幅広い用途に用いることが可能である。
【符号の説明】
【００３６】
１      ＬＥＤ照明器具
２      ＬＥＤ照明ユニット
３      器具本体
２００  ＬＥＤモジュール
２０１  ＬＥＤ
２０２  ＬＥＤ基板
２１４  板バネ状係止部材
３００  蓋部材
３０１  係止部
３１０  本体部
３１１  天板
３１２  短手方向側壁
【図１】
0006615540.tif 000002
【図２】
0006615540.tif 000003
【図３】
0006615540.tif 000004
【図４】
0006615540.tif 000005
【図５】
0006615540.tif 000006
【図６】
0006615540.tif 000007